(57)【要約】【課題】  工具等を用いることなく、また、壁面を損傷することなく、住宅や店舗内部の壁面を自由自在に、かつ、容易に取り替えることができ、住宅や店舗内部の雰囲気を一新することができる壁パネルおよび該壁パネルを取り付けるための壁下地材、並びにそれらを用いた壁面構造を提供することである。【解決手段】  化粧ボードの背面上部に取付具を備えた壁パネルであって、前記取付具は化粧ボードに固着される板状固定部と該板状固定部からその先端が上方を向くように略垂直方向に突出する断面弧状の板状挿嵌部とからなることを特徴とする壁パネル。【選択図】        図１
2007071011.tif 000002
【特許請求の範囲】
【請求項１】
化粧ボードと、
前記化粧ボードの背面上部に設けられた取付具と、を備え、
前記取付具は、化粧ボードに固着される板状固定部と、当該板状固定部からその先端が上方を向くように略垂直方向に突出する断面弧状の板状挿嵌部とを備えている、壁パネル。
【請求項２】
前記板状挿嵌部が前記板状固定部の上端から突出している、請求項１に記載の壁パネル。
【請求項３】
化粧ボードの背面下部にダボないしダボ穴が設けられている、請求項１または２に記載の壁パネル。
【請求項４】
前記化粧ボードが木質系基材に化粧シートを貼着したものである、請求項１から３のいずれかに記載の壁パネル。
【請求項５】
前記板状固定部の下端にその一端が延設され、その他端に前記板状挿嵌部側に突出する突出部を有する板状支持部が設けられている、請求項１から４のいずれかに記載の壁パネル。
【請求項６】
断面弧状でその下端に挿入口を備えた少なくとも一つの挿嵌溝が形成された挿嵌部を有するレール状係合型材を壁体表面に水平方向に一本ないし間隔をあけて複数本を取り付けると共に前記レール状係合型材の下部ないし前記レール状係合型材間に基板を設け、該基板にダボ穴ないしダボを設けてなることを特徴とする壁下地材。
【請求項７】
壁パネルに設けた板状挿嵌部を壁下地材のレール状係合型材の挿入口から挿嵌溝に挿嵌すると共に壁パネルに設けたダボないしダボ穴を壁下地材の基板に設けたダボ穴ないしダボに挿入することにより壁パネルを壁下地材に取り付けたことを特徴とする壁面構造。
【請求項８】
壁面に配置される壁面構造であって、
断面弧状でその下端に挿入口を備えた少なくとも一つの挿嵌溝が形成された挿嵌部を有し、壁体表面に水平方向に取り付けられる少なくとも一つのレール状係合型材と、
前記レール状係合型材の下部に取り付けられる基板と、
請求項１から５のいずれかに記載の壁パネルと、を備え、
前記壁パネルの板状挿嵌部は、前記レール状係合型材の挿嵌溝に嵌合している、壁面構造。
【請求項９】
前記化粧ボードの背面下部と前記基板とを着脱自在に固定する固定機構がさらに設けられている、請求項８に記載の壁面構造。
【請求項１０】
壁面に配置される壁面構造であって、
断面弧状でその下端に挿入口を備えた少なくとも二つの挿嵌溝が上下方向に並ぶように形成された挿嵌部を有し、壁面表面に水平方向に取り付けられる少なくとも一つのレール状係合型材と、
前記レール状係合型材の下部に取り付けられる基板と、
請求項５に記載の壁パネルと、
棚板、当該棚板の後端部に設けられ、その先端が上方を向くように略垂直方向に突出する断面弧状の板状挿嵌部、及び前記棚板の下面の一点とこの棚板の後端より下方の一点とを結び当該棚板を支持する補強部を有する棚体と、を備え、
前記壁パネルの板状挿嵌部は、前記レール状係合型材の下方の挿嵌溝に嵌合し、
前記棚体の板状挿嵌部は、前記レール状係合型材の上方の挿嵌溝に嵌合することで、前記壁パネル上に配置され、
前記棚体の補強部において前記壁パネルと当接する下端部と、前記壁パネルの板状支持部とは、前記化粧ボードを挟んで対向する位置に配置されている、壁面構造。
【発明の詳細な説明】
【技術分野】
【０００１】
本発明は、住宅や店舗内部の壁面を、書画を展示したようなイメージを与えるギャラリー（美術品陳列室）的な壁面とするための壁パネルおよび該壁パネルを取り付けるための壁下地材、並びにそれらを用いた壁面構造に関し、さらに詳しくは、ギャラリーが定期的に書画を入れ替えるように、壁面を自由自在に入れ替えて、内部の雰囲気を一新することができる壁パネルおよび該壁パネルを取り付けるための壁下地材、並びにそれらを用いた壁面構造に関するものである。
【背景技術】
【０００２】
従来、住宅や店舗内部の壁面を装飾する方法としては、壁面表面に壁紙や化粧シートを貼着する方法、あるいは、壁紙や化粧シートを貼着した壁パネルを用意しておき、これを壁面に釘打ち法、ビス止め法または接着剤等により取り付ける方法等により行われているが、いずれの方法においても、模様替えや老朽化により貼り替えや交換は素人では困難であると共に工期や工費がかかるという問題があった。
【０００３】
そこで、簡単に取り外しや取り付けが可能な壁パネルの取り付け方法として、たとえば、特殊な嵌合金具や螺子止め金具等を使用する方法が各種提案されている（たとえば、特許文献１参照）。
【０００４】
特許文献１に開示された技術は、モジュール化したパネルを予め裏打ち材の所定の位置に埋め込まれたナットを利用してパネルに形成された貫通孔と前記ナットとを対応させてつまみ付きボルトを貫通孔に挿入しながら前記ナットに螺合させることによりパネルを裏打ち材に取り付けるものであり、パネルの取り付けや取り外しがつまみ付きボルトで可能であり、工具を用いることなく手指で容易にパネルを着脱することができる点で有用な技術であり、機能面では優れている反面、パネルを取り付けた壁面につまみ付きボルトが表出するために、意匠面においては表出する見つまみ付きボルトの見苦しさが拭えないものであった。
【特許文献１】特開平０６−３４１２０７号公報
【発明の開示】
【発明が解決しようとする課題】
【０００５】
そこで本発明は、工具等を用いることなく、また、壁面を損傷することなく、住宅や店舗内部の壁面を自由自在に、かつ、容易に取り替えることができ、住宅や店舗内部の雰囲気を一新することができる壁パネルおよび該壁パネルを取り付けるための壁下地材、並びにそれらを用いた壁面構造を提供することであり、特に住宅や店舗内部の壁面を書画で飾ったようなイメージを演出することができる壁パネルおよび該壁パネルを取り付けるための壁下地材、並びにそれらを用いた壁面構造を提供することである。
【課題を解決するための手段】
【０００６】
本発明者は、上記課題を解決するために、請求項１記載の本発明は、化粧ボードの背面上部に取付具を備えた壁パネルであって、前記取付具は化粧ボードに固着される板状固定部と該板状固定部からその先端が上方を向くように略垂直方向に突出する断面弧状の板状挿嵌部とからなることを特徴とするものである。
【０００７】
また、請求項２記載の本発明によれば、請求項１記載の壁パネルにおいて、前記断面弧状の板状挿嵌部が前記板状固定部の上端から突出していることを特徴とすることができる。
【０００８】
また、請求項３記載の本発明によれば、請求項１または２に記載の壁パネルにおいて、化粧ボードの背面下部にダボないしダボ穴が設けられていることを特徴とすることができる。
【０００９】
また、請求項４記載の本発明によれば、請求項１記載の壁パネルにおいて、前記化粧ボードが木質系基材に化粧シートを貼着したものであることを特徴とすることができる。
また、請求項５記載の本発明によれば、請求項１から３のいずれかに記載の壁パネルにおいて、前記板状固定部の下端にその一端が延設され、その他端に前記板状挿嵌部側に突出する突出部を有する板状支持部が設けられていることを特徴とすることができる。
【００１０】
また、請求項６記載の本発明の壁下地材は、断面弧状でその下端に挿入口を備えた少なくとも一つの挿嵌溝が形成された挿嵌部を有するレール状係合型材を壁体表面に水平方向に一本ないし間隔をあけて複数本を取り付けると共に前記レール状係合型材の下部ないし前記レール状係合型材間に基板を設け、該基板にダボ穴ないしダボを設けてなることを特徴とするものである。
【００１１】
また、請求項７記載の本発明の壁面構造は、壁パネルに設けた板状挿嵌部を壁下地材のレール状係合型材の挿入口から挿嵌溝に挿嵌すると共に壁パネルに設けたダボないしダボ穴を壁下地材の基板に設けたダボ穴ないしダボに挿入することにより壁パネルを壁下地材に取り付けたことを特徴とするものである。
また、請求項８に記載の本発明の壁面構造は、断面弧状でその下端に挿入口を備えた少なくとも一つの挿嵌溝が形成された挿嵌部を有し、壁体表面に水平方向に取り付けられる少なくとも一つのレール状係合型材と、前記レール状係合型材の下部に取り付けられる基板と、請求項１から５のいずれかに記載の壁パネルと、を備え、前記壁パネルの板状挿嵌部は、前記レール状係合型材の挿嵌溝に嵌合している。
また、請求項９に記載の本発明の壁面構造によれば、上記壁面構造において、前記化粧ボードの背面下部と前記基板とを着脱自在に固定する固定機構がさらに設けることができる。
また、請求項１０に記載の本発明の壁面構造は、断面弧状でその下端に挿入口を備えた少なくとも二つの挿嵌溝が上下方向に並ぶように形成された挿嵌部を有し、壁体表面に水平方向に取り付けられる少なくとも一つのレール状係合型材と、前記レール状係合型材の下部に取り付けられる基板と、請求項５に記載の壁パネルと、棚板、当該棚板の後端部に設けられ、その先端が上方を向くように略垂直方向に突出する断面弧状の板状挿嵌部、及び前記棚板の下面の一点とこの棚板の後端より下方の一点とを結び当該棚板を支持する補強部を有する棚体と、を備え、前記壁パネルの板状挿嵌部は、前記レール状係合型材の下方の挿嵌溝に嵌合し、前記棚体の板状挿嵌部は、前記レール状係合型材の上方の挿嵌溝に嵌合することで、前記壁パネル上に配置され、前記棚体の補強部において前記壁パネルと当接する下端部と、前記壁パネルの板状支持部とは、前記化粧ボードを挟んで対向する位置に配置されている。
【発明の効果】
【００１２】
本発明は、予め化粧ボードの背面上部に板状挿嵌部を有する取付具とさらには背面下部にダボないしダボ穴を有する壁パネルを用意すると共に、予め挿嵌溝が形成された挿嵌部を有するレール状係合型材を壁体表面に水平方向に一本ないし間隔をあけて複数本を取り付けると共にレール状係合型材の下部ないしレール状型材間に基板を設け、さらに前記基板にダボ穴ないしダボを設けた壁下地材を用意し、壁パネルに設けた板状挿嵌部を壁下地材のレール状係合型材の挿嵌溝に挿嵌すると共に壁パネルに設けたダボないしダボ穴を壁下地材の基板に設けたダボ穴ないしダボに挿入することにより壁パネルを壁下地材に取り付けた壁面構造としたことにより、（１）壁パネルの取り付け・取り外しを壁パネルに設けた板状挿嵌部をレール状係合型材に設けた挿嵌溝に着脱すればよいので、工具等を用いることなく誰でも容易に行うことができ、また、（２）壁体表面に壁下地材が予め設けてあるために、壁体を損傷することがなく、また、（３）壁パネルは木質系基材の壁面とした際に表出する面に木目調、石目調、布目調、ヘアーライン調等の化粧シートや布を貼着した構成、あるいは、鏡を取り付けた構成、あるいは、天然木、天然石そのものを用いた構成など種々の構成が可能であると共に組み合わせも自在であり、興趣に富んだ壁面とすることができ、また、（４）壁パネルが壁体表面から壁下地材を介して前面に突出した状態で設けられるために、住宅や店舗内部の壁体表面に書画を飾ったようなイメージを演出することができるという数々の優れた効果を奏するものである。
さらに、壁パネルを覆うように棚体を設ける場合、壁パネルにおける板状固定部から突出する支持部と、棚体の支持板部の下端部とが、化粧ボードを挟んで対向する位置に配置されるように構成すると、次の効果を得ることができる。棚板に物品をのせた場合、棚板には、下向きの荷重が作用する。これを支持するのが上述した補強部であるが、この荷重は補強部の下端、つまり棚板の後端より下方の点に作用するため、その押圧力によって化粧ボードが損傷する恐れがある。これに対して、上述したように構成すると、補強部の下端に作用する力を、取付具の板状支持部で受け止めることができるため、化粧ボードが損傷するのを防止することができる。
【発明を実施するための最良の形態】
【００１３】
上記の本発明について、図面等を用いて以下に詳述する。なお、以下の説明では、壁面から突出する方向を「前」、その反対方向を「後」と称することとする。図１は本発明にかかる壁パネルの構成部材の取付具の一実施例を示す（ａ）は斜視図，（ｂ）は断面図、図２は本発明にかかる壁パネルの構成部材の取付具の他の実施例を示す（ａ）は斜視図，（ｂ）は断面図、図３は本発明にかかる壁パネルの一実施例を示す斜視図、図４は本発明にかかる壁パネルの他の実施例を示す斜視図、図５は本発明にかかるレール状係合型材の第１実施形態を示す（ａ）は斜視図，（ｂ）は断面図、図６は本発明にかかるレール状係合型材の第２実施形態を示す（ａ）は斜視図、（ｂ）は断面図、図７は本発明にかかるレール状係合型材の第３実施形態を示す（ａ）は斜視図，（ｂ）は断面図、図８は本発明にかかる壁下地材の取付状態の一実施例を示す（ａ）は平面図，（ｂ）は（ａ）のＸ−Ｘ線断面図，（ｃ）は（ａ）のＹ−Ｙ線の要部断面図、図９は本発明にかかる壁面構造の一実施例を示す（ａ）は斜視図，（ｂ）は（ａ）の上下方向の要部断面図、図１０は本発明にかかる壁面構造の他の実施例を示す図９（ｂ）に対応する図、図１１は本発明にかかる壁面構造に用いる棚受け用係止型材の一実施例を示す（ａ）は斜視図，（ｂ）は断面図，（ｃ）は棚受け用係止型材に棚板を装着した状態を示す図であって、図中の１，１’は上板、２，２’，２”は下板、３は上段挿嵌溝、３ａは上段挿入口、３ｂは挿入口、４は下段挿嵌溝、４ａは下段挿入口、６は垂直状突起、７，７’は垂下状突起、８，８’，８”は板状取付縁、９は支持縁、１０は板状固定部、１１は板状挿嵌部、１２は板状突起部、１３は支持部、１５は棚板挿嵌部、１６は棚板挟持用上板部、１７は支持板部、１８は棚板挟持用下板部、１９は板状挿入突起、２０は化粧ボード、２１，２１’は挿入溝、２２はダボ穴、３３は挿嵌溝、３４は板状突起、３５は嵌合凸部、３６はＬ字状切欠部、３７は断面略コの字状凹部、３８はエンドカバー、３９はダボ、Ａ，Ｓ，Ｔはレール状係合型材、Ｂ，Ｂ’は壁パネル、Ｃは棚受け用係止型材、Ｄ，Ｄ’は取付具、Ｅは棚部材、Ｆは基板、Ｌは挿嵌部、Ｍは壁下地材、Ｎ１，Ｎ２は壁面構造、Ｑは螺子、Ｒは螺子孔、Ｖは棚板、Ｗは壁体をそれぞれ示す。
【００１４】
最初に、壁パネルについて説明する。図１は本発明にかかる壁パネルの構成部材の取付具の一実施例を示す（ａ）は斜視図，（ｂ）は断面図であって、取付具Ｄはアルミニウム等の金属、あるいは、合成樹脂で形成された板状固定部１０と、該板状固定部１０の一方の端部からその先端が前記板状固定部１０から乖離するように略垂直方向に突出する断面弧状の板状挿嵌部１１と、前記板状固定部１１の前記一方の端部から前記板状挿嵌部１１と反対側に略垂直方向に突出する板状挿入突起部１２とからなるものである。図中の符号Ｒは螺子孔を示すが、これ以後の各図に示す符号Ｒも同じ意味である。
【００１５】
図２は本発明にかかる壁パネルの構成部材の取付具の他の実施例を示す（ａ）は斜視図，（ｂ）は断面図であって、取付具Ｄ’は図１に示した取付具Ｄにおいて、前記板状固定部１０の他方の端部にその一方の端部が連接し、その他方の端部に前記板状挿嵌部１１側に突出する断面Ｔ字状突出部を有する支持部１３とからなるものであって、これ以外は図１に示した取付具Ｄと同じである。
【００１６】
図３は本発明にかかる壁パネルの一実施例を示す斜視図であって、壁パネルＢは化粧ボード２０の背面上部に挿入溝２１が設けられると共に背面下部にダボ穴２２が設けられ、前記挿入溝２１に前記取付具Ｄに設けた前記板状挿入突起部１２を挿入すると共に前記板状固定部１０に設けた螺子孔Ｒ（図１参照）に螺子Ｑを螺着して化粧ボード２０の背面上部に前記取付具Ｄを取り付けたものである。なお、化粧ボード２０は、壁面とした際の、たとえば、一般木材、中密度繊維板（いわゆる、ＭＤＦ）、合板、パーティクルボード等の木質系基材の表出面に、たとえば、木目調、石目調、布目調、ヘアーライン調等の化粧シートや布等が貼着された、あるいは、鏡を取り付けた、あるいは、天然木や天然石そのものからなるものである。
【００１７】
図４は本発明にかかる壁パネルの他の実施例を示す斜視図であって、壁パネルＢ’は図３に示した取付具Ｄに代えて取付具Ｄ’を同様にして取り付けたものである。
【００１８】
次に、壁下地材について説明する。壁下地材は壁体表面に取り付けられるものであって、レール状係合型材と基板とから構成されるものである。
【００１９】
図５は本発明にかかるレール状係合型材の第１実施形態を示す（ａ）は斜視図，（ｂ）は断面図であって、レール状係合型材Ａはアルミニウム等の金属で形成され、壁体表面に専ら水平方向に所定幅に亘って１本ないし複数本が一定の間隔をあけて取り付けられるもので、上板１と下板２とからなり、前記上板１と下板２との間に、それぞれ断面が上向き円弧状で下端にそれぞれ上段挿入口３ａと下段挿入口４ａを有する上段挿嵌溝３と下段挿嵌溝４とからなる上下二段の２条の挿嵌溝が形成された挿嵌部Ｌと、前記上板１の前記上・下段挿入口３ａ、４ａと対向する側の端縁に前記上・下段挿入口３ａ、４ａ側に開口する断面コの字状の板状取付縁８と前記下板２の前記上・下段挿入口３ａ、４ａと対向する側の端縁近傍に前記下板２から垂下形成された逆Ｌ字状の支持縁９と、前記上板１に前記取付縁８に対して間隔をあけて前記取付縁８に平行に設けられた垂直状突起６と前記下板２に前記支持縁９に対して間隔をあけて前記支持縁９に平行に設けられた垂下状突起７とからなるものである。前記レール状係合型材Ａは後述する壁下地材Ｍにおいて、基本的には中間部に用いられるレール状係合型材である。なお、図５においては、前記レール状係合型材Ａを上下二段の２条の挿嵌溝が形成されたものを示したが、基本的には１条の挿嵌溝が形成されていればよいものである。２条の挿嵌溝を設ける理由については後述する。また、後述するが、前記取付縁８と前記垂直状突起６との間、および、前記支持縁９と前記垂下状突起７との間に基板Ｆが嵌合される。
【００２０】
図６は本発明にかかるレール状係合型材の第２実施形態を示す（ａ）は斜視図，（ｂ）は断面図であって、レール状係合型材Ｓはアルミニウム等の金属で形成され、図５で説明したレール状係合型材Ａの上方に位置し、かつ、水平方向に取り付けられるものであって、後述する壁下地材Ｍにおいて、基本的には最上部に用いられるレール状係合型材である。レール状係合型材Ｓは上板１’と下板２’との間に、断面が上向き円弧状で下端に挿入口３ｂを有する挿嵌溝３３が形成された挿嵌部Ｌと、前記下板２’の前記挿入口３ｂと対向する側の端縁に垂下形成された逆コの字状の取付縁８’と、前記下板２’に前記取付縁８’に対して間隔をあけて前記取付縁８’に平行に設けられた板状の垂下状突起７’とからなるものである。なお、後述するが前記逆コの字状の取付縁８’と前記垂下状突起７’との間に基板Ｆが嵌合される。
【００２１】
図７は本発明にかかるレール状係合型材の第３実施形態を示す（ａ）は斜視図，（ｂ）は断面図であって、レール状係合型材Ｔはアルミニウム等の金属で形成され、図５で説明したレール状係合型材Ａの下方に位置し、かつ、水平方向に取り付けられるものであって、後述する壁下地材Ｍにおいて、基本的には最下部に用いられるレール状係合型材である。レール状係合型材Ｔは下板２”の長手方向の一方の端辺に垂直上方に突出する板状突起３４を備えた断面ｈ字状の突起部と、他方の端辺に垂直上方に起立形成された断面略柄杓（ひしゃく）状の取付縁８”と、前記板状突起３４と前記取付縁８”との間に断面Ｔ字状の嵌合凸部３５が設けられたものである。一方の端部がＴ字状に切り欠かれたＴ字状溝を有する基板Ｆが前記嵌合凸部３５に前記Ｔ字状溝を嵌入させて前記板状突起３４と前記取付縁８”との間に嵌合される。なお、今まで説明したレール状係合型材Ａ、Ｓ、Ｔはいずれも、後述する壁下地材Ｍとして用いられるものであるが、図５〜７においてはいずれも螺子孔Ｒを取付縁８，８’，８”に穿設したものを示したが、たとえば、材料がアルミニウムの押出し型材からなる場合は、予め螺子孔Ｒを設けることなく取り付け時に前記取付縁８，８’，８”に直接に螺子を螺着してもよいものである。また、Ｔ字状溝を有しない基板Ｆを、嵌合凸部３５に嵌合するようにしてもよいものである。
【００２２】
図８は本発明にかかる壁下地材の取付状態の一実施例を示す（ａ）は平面図，（ｂ）は（ａ）のＸ−Ｘ線断面図，（ｃ）は（ａ）のＹ−Ｙ線の要部断面図であって、壁下地材Ｍは図６に示したレール状係合型材Ｓと、図５に示したレール状係合型材Ｔ（２本）と、図７に示したレール状係合型材Ｔとが水平方向に壁体Ｗの表面に上部から順に所定間隔をあけて配設されると共に各レール状係合型材間（３列）に複数枚の基板Ｆ（図８上、各列３枚で合計９枚の定寸の基板Ｆ）が嵌合されると共に前記基板Ｆの隣接部において、一方側の前記基板Ｆ（図８上、右側に位置する基板Ｆ）の端部が断面Ｌ字状に切り欠かれた断面Ｌ字状切欠部３６を有し、前記基板Ｆの隣接部に断面略コの字状凹部３７が形成され、さらに両側端面に係合型材Ｓ，Ａ，Ｔの側端面および前記基板Ｆの側端面を被覆する、たとえば、黒色に着色された合成樹脂製のエンドカバー３８が設けられている。前記エンドカバー３８は断面Ｔ字状であって、係合型材Ｓ，Ａ，Ｔが表出するように当該部分が切り欠かれている。これは、前記エンドカバー３８を螺子等で基板Ｆに螺着する場合に基板Ｆの上面に位置する前記エンドカバー３８の部分で螺着するためであり、壁下地材Ｍを壁体Ｗの表面の略全面に設ける場合に前記エンドカバー３８の取り付けを容易なものとすることができる。なお、前記断面略コの字状凹部３７は、たとえば、図示はしないが、必要に応じて、壁面に棚を取り付ける場合に用いられる棚支柱型材（いわゆるガチャ柱）が嵌め込まれる溝として用いられるものであって、棚支柱型材（いわゆるガチャ柱）を嵌め込まない場合には、たとえば、黒色に着色された合成樹脂製の前記断面略コの字状凹部３７に係合する形状の成形品で前記断面略コの字状凹部３７とその近傍が被覆されるものである。このように構成することにより、壁下地材Ｍの前面に前記壁パネルＢ，Ｂ’を取り付けた際に、前記基板Ｆが前記成形品で被覆されているので、見栄えのよいものとすることができる。また、前記断面略コの字状凹部３７は上記した形成方法に限るものではなく、たとえば、上記した１列を一枚の大きい基板で構成し、略コの字状に切削加工して形成してもよいものである。
【００２３】
また、前記基板Ｆには下部にダボ３９が設けられ、前記壁パネルＢ，Ｂ’に設けたダボ穴２２をこれに挿入して前記壁パネルＢ，Ｂ’の水平方向の位置決めができるようになっているし、また、前記基板Ｆは上下方向の両端部がＬ字状に切削加工され、この部分が、たとえば、レール状係合型材Ｓにあっては前記取付縁８’と前記垂下状突起７’との間に嵌合され、また、レール状係合型材Ａにあっては前記取付縁８と前記垂直状突起６との間、あるいは、前記支持縁９と前記垂下状突起７との間に嵌合され、また、レール状係合型材Ｔにあっては、Ｌ字状に切削加工された部分の端部にさらにＴ字状に切り欠かれたＴ字状溝を形成した基板Ｆが用いられて前記嵌合凸部３５に前記基板Ｆの前記Ｔ字状溝を嵌入させて前記板状突起３４と前記取付縁８”との間に嵌合される。
【００２４】
具体的に図８を例に挙げて壁下地材Ｍの取り付け方法を説明する。なお、基板Ｆは対向する両端部がＬ字状に切り欠かれたもので、この切り欠かれた両端部がレール状係合型材に嵌合されるものである。壁下地材Ｍの取り付け方法としては、最初にレール状係合型材Ｔをその取付縁８”の螺子孔Ｒに螺子Ｑを螺着して壁面Ｗに取り付け、次に一方の端部がＴ字状に切り欠かれたＴ字状溝を有する基板Ｆを前記嵌合凸部３５に前記Ｔ字状溝を嵌入させて前記板状突起３４と前記取付縁８”との間に嵌合し、次に、他方の端部を支持縁９と垂下状突起７で挟むように第１のレール状係合型材Ａを嵌合すると共に第１のレール状係合型材Ａをその取付縁８の螺子孔Ｒに螺子Ｑを螺着して壁面Ｗに取り付け、次に、新たな基板Ｆの一方の端部を第１のレール状係合型材Ａの前記取付縁８と垂直状突起６との間に嵌合し、次に、他方の端部を支持縁９と垂下状突起７で挟むように第２のレール状係合型材Ａを嵌合すると共に第２のレール状係合型材Ａをその取付縁８の螺子孔Ｒに螺子Ｑを螺着して壁面Ｗに取り付け、次に、さらに新たな基板Ｆの一方の端部を第２のレール状係合型材Ａの前記取付縁８と垂直状突起６との間に嵌合し、最後に他方の端部を取付縁８’と垂下状突起７’で挟むようにレール状係合型材Ｓを嵌合して基板Ｆ上から前記取付縁８’に設けた螺子孔Ｒを貫通するように螺子Ｑを壁体Ｗに螺着すると共に、図示はしないが前記基板Ｆの適宜の箇所を螺子により壁体Ｗに螺着することにより壁体Ｗへの壁下地材Ｍの取り付けが完了するものである。前記基板Ｆの材質としては、一般木材、中密度繊維板（いわゆる、ＭＤＦ）、合板、パーティクルボード等が適当である。なお、図８上の符号Ｑは螺着された螺子を示す。
【００２５】
図９は本発明にかかる壁面構造の一実施例を示す（ａ）は斜視図，（ｂ）は（ａ）の上下方向の要部断面図であって、壁面構造Ｎ１は図８で示した壁下地材Ｍの前記レール状係合型材Ｓの前記挿嵌溝３３に前記壁パネルＢをその前記取付具Ｄに設けた前記板状挿嵌部１１を前記挿入口３ｂから挿入して挿嵌し、また、前記レール状係合型材Ａの下段挿嵌溝４に前記壁パネルＢをその前記取付具Ｄに設けた前記板状挿嵌部１１を前記下段挿入口４ａから挿入して挿嵌し、前記基板Ｆに設けられたダボ３９に前記壁パネルＢに設けたダボ穴２２を挿入して壁下地材Ｍに壁パネルＢを取り付けたものである。このように構成した壁面構造Ｎ１は、壁パネルの取り付け・取り外しを壁パネルに設けた板状挿嵌部を壁下地材Ｍに設けたレール状係合型材Ｓ，Ｔの挿嵌溝に着脱すればよいので、工具等を用いることなく誰でも容易に行うことができ、また、壁体Ｗの表面に壁下地材Ｍが予め設けてあるために、壁体Ｗを損傷することがなく、また、壁パネルＢ，Ｂ’は壁面とした際に木質系基材の表出する面に木目調、石目調、布目調、ヘアーライン調等の化粧シートや布を貼着した構成、あるいは、鏡を取り付けた構成、あるいは、天然木、天然石そのものを用いた構成など種々の構成が可能であると共に組み合わせも自在であり、興趣に富んだ壁面とすることができ、また、壁パネルＢ，Ｂ’が壁体Ｗの表面から壁下地材Ｍを介して前面に突出した状態で設けられるために、住宅や店舗内部の壁体Ｗの表面に書画を飾ったようなイメージを演出することができるという数々の優れた効果を奏する。
【００２６】
図１０は本発明にかかる壁面構造の他の実施例を示す図９（ｂ）に対応する図であって、壁面構造Ｎ２は図９に示した壁パネルＢに代えて壁パネルＢ’を用いたものである。壁パネルＢ’を用いることにより、壁パネルＢ’に設けた取付具Ｄ’の支持部１３が前記基板Ｆにより支持されることとなり、壁パネルＢ’の安定性を得ることができると共に後述する棚部材Ｅ（図１１参照）を前記レール状係合型材Ａの上段挿入口３ａから上段挿嵌溝３に挿嵌して取り付けた際に、棚部材Ｅ（棚部材上に置かれた物品を含む）の荷重を前記紙パネルＢ’を介して確実に受けることができるので、壁パネルＢに比べて強度のある壁面構造とすることができる。
【００２７】
次に、上述した壁パネルに棚を設ける場合について説明する。この壁パネルは、第２レール状係合型材を利用することにより、棚を設けることができる。以下、この棚を構成する棚体について、図１１及び図１２を参照しつつ説明する。この棚体Ｅは、棚板Ｖと、これを支持する棚受け用係止型材Ｃとで構成されている。図１１（ａ）は棚受け用係止型材Ｃの斜視図，図１１（ｂ）は棚受け用係止型材Ｃの断面図，図１１（ｃ）は棚体の断面図である。また、図１２はこの棚体を壁パネルに装着したときの断面図である。
【００２８】
図１１に示すように、棚受け用係止型材Ｃはアルミニウム等の金属で形成され、垂直方向に延びる支持板部１７を備えており、この支持板部１７の上端には、前方に垂直に延びる棚板挟持用上板部１６と、後方へ垂直に突出する断面弧状の板状挿嵌部１５とが設けられている。板状挿嵌部１５は、先端がやや上方に向くように屈曲している。また、後述するように、壁パネルの上端を超えて係合型材に連結されるため、前後方向の長さは、化粧ボードの厚みよりも長くなっている。
【００２９】
支持板部１７の中間部には、前方へ垂直に延びる棚板挟持用下板部１８が設けられており、棚板挟持用上板部１６との間に棚板が挿入される。支持板部１７において、棚板挟持用下板部１８と棚板挟持用上板部１６との間には、鋸歯状の板状挿入突起１９が形成されており、棚板Ｖの後端部に形成された挿入溝２１’に、この板状挿入突起１９が嵌め込まれる。また、支持板部１７の下端部と、棚板挟持用下板部１８の前端との間には、支持強度を高めるために、板状の連結部４１が斜めに架け渡されている。これにより、棚板挟持用下板部１８、支持板部１７、及び連結部４１は、略直角三角形状の断面を形成しており、本発明に係る補強部を構成している。
【００３０】
このように構成された棚部材Ｅは、図示はしないが、図９に示した壁面構造Ｎ１とした後に、レール状係合型材Ａの上段挿嵌溝３に板状挿嵌部１５を上段挿入口３ａから挿入して挿嵌することにより壁面パネルＢの前面に取り付けられる。このとき、図４に示す壁パネル、つまりを図２に示す取付具Ｄ‘を有する壁パネルを使用する場合には、図１２に示すように、この取付具Ｄ‘の支持部１３と支持板部１７の下端部Ｚとが、化粧ボード２０を挟んで対向する位置に配置されるように構成する。これにより、次の効果を得ることができる。つまり、棚板Ｖに物品をのせた場合、棚板Ｖには、下向きの荷重が作用する。これを支持するのが上述した棚板挟持用下板部１８、支持板部１７、及び連結部４１であるが、この荷重の多くは支持板部１７の下端Ｚに作用するため、その押圧力によって化粧ボード２０が損傷する恐れがある。これに対して、上述したように構成すると、支持板部１７の下端Ｚに作用する力を、取付具Ｄ‘の支持部１３で受け止めることができるため、化粧ボードが損傷するのを防止することができる。
【００３１】
なお、前記棚体Ｅを取り付けない壁面構造にあっては前記レール状係合型材Ａを用いることなく、前記挿嵌部Ｌ（図５参照）に１条の挿嵌溝が形成されたレール状係合型材（図示せず）を用いればよいものである。
【００３２】
また、棚板Ｖの挟持効果を高めるために棚板挟持用上板部１６の前記棚板Ｖが当接する面および前記棚板挟持用下板部１８の前記棚板Ｅが当接する先端面を粗面加工あるいはゴム塗布加工を施して前記棚板Ｖの前記棚受け用係止型材Ｃに対する係止効果を高めてもよいものである。
【００３３】
上記棚体Ｅでは、直角三角形状の補強部を設けているが、これに限定されるものではなく、棚板Ｖの下面の一点とこの棚板Ｖの後端より下方の一点とを結ぶように補強部が構成されていればよい。例えば、図１１に示す棚体を例とすると、連結部４１を有さず支持板部１７と棚板挟持用下板部１８とで、Ｌ字型の補強部にしてもよい。また、棚板挟持用下板部１８をなくし、連結部４１の前端を棚板Ｖの下端に固定することで、Ｖ字型の補強部にすることもできる。さらにまた、支持板部１７を短くし、連結部４１と支持板部１７とを連結しないような構成にすることもできる。
【００３４】
また、取付具Ｄ‘の支持部１３の構成も上述したものに限定されず、Ｔ字型以外にも、断面矩形状でもよく、要するに、化粧ボード２０と基板Ｆとの間で挟持されるような形状であればよい。
【図面の簡単な説明】
【００３５】
【図１】本発明にかかる壁パネルの構成部材の取付具の一実施例を示す（ａ）は斜視図，（ｂ）は断面図である。
【図２】本発明にかかる壁パネルの構成部材の取付具の他の実施例を示す（ａ）は斜視図，（ｂ）は断面図である。
【図３】本発明にかかる壁パネルの一実施例を示す斜視図である。
【図４】本発明にかかる壁パネルの他の実施例を示す斜視図である。
【図５】本発明にかかるレール状係合型材の第１実施形態を示す（ａ）は斜視図，（ｂ）は断面図である。
【図６】本発明にかかるレール状係合型材の第２実施形態を示す（ａ）は斜視図、（ｂ）は断面図である。
【図７】本発明にかかるレール状係合型材の第３実施形態を示す（ａ）は斜視図，（ｂ）は断面図である。
【図８】本発明にかかる壁下地材の取付状態の一実施例を示す（ａ）は平面図，（ｂ）は（ａ）のＸ−Ｘ線断面図，（ｃ）は（ａ）のＹ−Ｙ線の要部断面図である。
【図９】本発明にかかる壁面構造の一実施例を示す（ａ）は斜視図，（ｂ）は（ａ）の上下方向の要部断面図である。
【図１０】本発明にかかる壁面構造の他の実施例を示す図９（ｂ）に対応する図である。
【図１１】本発明にかかる壁面構造に用いる棚受け用係止型材の一実施例を示す（ａ）は斜視図，（ｂ）は断面図，（ｃ）は棚受け用係止型材に棚板を装着した状態を示す図である。
【図１２】図１０の壁面構造に、図１１の棚体を取り付けた状態を示す断面図である。
【符号の説明】
【００３６】
１，１’                              上板
２，２’，２”                        下板
３                                    上段挿嵌溝
３ａ                                  上段挿入口
３ｂ                                  挿入口
４                                    下段挿嵌溝
４ａ                                  下段挿入口
６                                    垂直状突起
７，７’                              垂下状突起
８，８’，８”                        板状取付縁
９                                    支持縁
１０                                  板状固定部
１１                                  板状挿嵌部
１２                                  板状突起部
１３                                  支持部
１５                                  棚板挿嵌部
１６                                  棚板挟持用上板部
１７                                  支持板部
１８                                  棚板挟持用下板部
１９                                  板状挿入突起
２０                                  化粧ボード
２１，２１’                          挿入溝
２２                                  ダボ穴
３３                                  挿嵌溝
３４                                  板状突起
３５                                  嵌合凸部
３６                                  Ｌ字状切欠部
３７                                  断面略コの字状凹部
３８                                  エンドカバー
３９                                  ダボ
４１                                  連結部
Ａ，Ｓ，Ｔ                            レール状係合型材
Ｂ，Ｂ’                              壁パネル
Ｃ                                    棚受け用係止型材
Ｄ，Ｄ’                              取付具
Ｅ                                    棚体
Ｆ                                    基板
Ｌ                                    挿嵌部
Ｍ                                    壁下地材
Ｎ１，Ｎ２                            壁面構造
Ｑ                                    螺子
Ｒ                                    螺子孔
Ｖ                                    棚板
Ｗ                                    壁体
【図１】
2007071011.tif 000003
【図２】
2007071011.tif 000004
【図３】
2007071011.tif 000005
【図４】
2007071011.tif 000006
【図５】
2007071011.tif 000007
【図６】
2007071011.tif 000008
【図７】
2007071011.tif 000009
【図８】
2007071011.tif 000010
【図９】
2007071011.tif 000011
【図１０】
2007071011.tif 000012
【図１１】
2007071011.tif 000013
【図１２】
2007071011.tif 000014